【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
湿気硬化性アルコキシシラン官能性ポリエーテルウレタンの製造方法であって、
NCO:OH当量比1.5:1〜2.5:1にて、
a)  ヒドロキシル成分であって、
i)  成分a)の重量に基づき20〜70重量％の、２個のヒドロキシル基及び１個以上のポリエーテルセグメントを含有するポリエーテルであって、ここで、
ポリエーテルセグメントは、少なくとも3000の数平均分子量及び0.04ミリ当量/g未満の不飽和度を有し、但し、１分子当たりの全ポリエーテルセグメントの数平均分子量の和は平均して6000〜20,000となるポリエーテルと、
ii)  成分a)の重量に基づき30〜80重量％の、１個のヒドロキシル基及び1000〜15,000の数平均分子量を有する１個以上のポリエーテルセグメントを含有するポリエーテル
を含有するものを、
b)  イソシアネート成分であって、
i)  成分b)の重量に基づき20〜100重量％の、２個のイソシアネート基を含有する化合物と、
ii)  成分b)の重量に基づき0〜80重量％の、１個のイソシアネート基を含有する化合物
を含有するもの、
と反応させて、イソシアネート含有反応生成物を生成させ、
次いで、この反応生成物を、イソシアネート基とイソシアネート反応性基の当量比0.8:1〜1.1:1にて、
c)  イソシアネート反応性基と１個以上の反応性シラン基を含有する化合物であって、
i)  式Ｉ：
【化１】
2007526356.tif 000001
〔式中、
Xは、100℃以下でイソシアネート基に対し不活性な同じまたは異なる有機基を表し、但し、これらの基の少なくとも２つはアルコキシ又はアシルオキシ基であり、
Yは、1〜8個の炭素原子を含有する直鎖又は分枝状アルキレン基を表し、
R1は、1〜12個の炭素原子を有するアルキル、シクロアルキル又は芳香族基及び式II：
【化２】
2007526356.tif 000002
で示される基から選択される有機基を表す。〕
で示される化合物、及び
ii)  式IV：
【化３】
2007526356.tif 000003
で示されるアミノシランと、式V：
【化４】
2007526356.tif 000004
〔式中、
X及びYは、上記に定義したものであり、
R2及びR5は、同じまたは異なる、1〜4個の炭素原子を有するアルキル基を表し、
R3及びR4は、同じまたは異なる、水素又は100℃以下の温度でイソシアネート基に対して不活性な有機基を表す。〕
で示されるマレイン酸又はフマル酸エステルの反応生成物
から選択されるもの、
と反応させて、湿気硬化性アルコキシシラン官能性ポリエーテルウレタンを生成させる（但し、a-ii)及びb-ii)の総百分率は合計で少なくとも10となる）ことを含んでなる、方法。
【請求項２】
Xは、同じまたは異なる、1〜4個の炭素原子を有するアルコキシ基を表し、
Yは、2〜4個の炭素原子を含有する直鎖基又は5〜6個の炭素原子を含有する分枝基を表し、
R1は、エチルを表す、
請求項１に記載の方法。
【請求項３】
成分c)の少なくとも10モル％は、式：
【化５】
2007526356.tif 000005
〔式中、
Xは、同じまたは異なる、1〜4個の炭素原子を有するアルコキシ基を表し、
Yは、2〜4個の炭素原子を含有する直鎖基又は5〜6個の炭素原子を含有する分枝基を表し、
R2及びR5は、同じまたは異なる、1〜4個の炭素原子を有するアルキル基を表し、
R3及びR4は、水素を表す。〕
で示される化合物である、請求項１に記載の方法。
【請求項４】
成分a-i)のポリエーテルセグメントは、少なくとも6000の数平均分子量を有し、成分a-ii)のポリエーテルセグメントは、3000〜12,000の数平均分子量を有する、請求項１に記載の方法。
【請求項５】
成分a-i)のポリエーテルセグメントは、少なくとも6000の数平均分子量を有し、成分a-ii)のポリエーテルセグメントは、3000〜12,000の数平均分子量を有する、請求項２に記載の方法。
【請求項６】
成分a-i)のポリエーテルセグメントは、少なくとも6000の数平均分子量を有し、成分a-ii)のポリエーテルセグメントは、3000〜12,000の数平均分子量を有する、請求項３に記載の方法。
【手続補正２】
【補正対象書類名】明細書
【補正対象項目名】００８１
【補正方法】変更
【補正の内容】
【００８１】
本発明は、例示目的のために上記のように詳細に記載したが、その詳細は単にその目的のためだけであって、クレームによって限定され得ること以外は、本発明の精神および範囲から逸脱することなく、当該分野における熟練者によって変更が成され得るものと解されるべきである。
本明細書の開示は、少なくとも本発明に関する下記の態様を包含する。
〔１〕湿気硬化性アルコキシシラン官能性ポリエーテルウレタンの製造方法であって、
NCO:OH当量比1.5:1〜2.5:1にて、
a)  ヒドロキシル成分であって、
i)  成分a)の重量に基づき20〜100重量％の、２個のヒドロキシル基及び１個以上のポリエーテルセグメントを含有するポリエーテルであって、ここで、
ポリエーテルセグメントは、少なくとも3000の数平均分子量及び0.04ミリ当量/g未満の不飽和度を有し、但し、１分子当たりの全ポリエーテルセグメントの数平均分子量の和は平均して6000〜20,000となるポリエーテルと、
ii)  成分a)の重量に基づき0〜80重量％の、１個のヒドロキシル基及び1000〜15,000の数平均分子量を有する１個以上のポリエーテルセグメントを含有するポリエーテル
を含有するものを、
b)  イソシアネート成分であって、
i)  成分b)の重量に基づき20〜100重量％の、２個のイソシアネート基を含有する化合物と、
ii)  成分b)の重量に基づき0〜80重量％の、１個のイソシアネート基を含有する化合物
を含有するもの、
と反応させて、イソシアネート含有反応生成物を生成させ、
次いで、この反応生成物を、イソシアネート基とイソシアネート反応性基の当量比0.8:1〜1.1:1にて、
c)  イソシアネート反応性基と１個以上の反応性シラン基を含有する化合物であって、
i)  式Ｉ：
【化１】
2007526356.tif 000006
〔式中、
Xは、100℃以下でイソシアネート基に対し不活性な同じまたは異なる有機基を表し、但し、これらの基の少なくとも２つはアルコキシ又はアシルオキシ基であり、
Yは、1〜8個の炭素原子を含有する直鎖又は分枝状アルキレン基を表し、
R1は、1〜12個の炭素原子を有するアルキル、シクロアルキル又は芳香族基及び式II：
【化２】
2007526356.tif 000007
で示される基から選択される有機基を表す。〕
で示される化合物、及び
ii)  式IV：
【化３】
2007526356.tif 000008
で示されるアミノシランと、式V：
【化４】
2007526356.tif 000009
〔式中、
X及びYは、上記に定義したものであり、
R2及びR5は、同じまたは異なる、1〜4個の炭素原子を有するアルキル基を表し、
R3及びR4は、同じまたは異なる、水素又は100℃以下の温度でイソシアネート基に対して不活性な有機基を表す。〕
で示されるマレイン酸又はフマル酸エステルの反応生成物
から選択されるもの、
と反応させて、湿気硬化性アルコキシシラン官能性ポリエーテルウレタンを生成させる（但し、a-ii)及びb-ii)の総百分率は合計で少なくとも10となる）ことを含んでなる、方法。
〔２〕Xは、同じまたは異なる、1〜4個の炭素原子を有するアルコキシ基を表し、
Yは、2〜4個の炭素原子を含有する直鎖基又は5〜6個の炭素原子を含有する分枝基を表し、
R1は、エチルを表す、
〔１〕に記載の方法。
〔３〕成分c)の少なくとも10モル％は、式：
【化５】
2007526356.tif 000010
〔式中、
Xは、同じまたは異なる、1〜4個の炭素原子を有するアルコキシ基を表し、
Yは、2〜4個の炭素原子を含有する直鎖基又は5〜6個の炭素原子を含有する分枝基を表し、
R2及びR5は、同じまたは異なる、1〜4個の炭素原子を有するアルキル基を表し、
R3及びR4は、水素を表す。〕
で示される化合物である、〔１〕に記載の方法。
〔４〕成分a-i)は、成分a)の重量に基づき20〜90重量％の量で存在し、成分a-ii)は、成分a)の重量に基づき10〜80重量％の量で存在する、〔１〕に記載の方法。
〔５〕成分a-i)は、成分a)の重量に基づき20〜90重量％の量で存在し、成分a-ii)は、成分a)の重量に基づき10〜80重量％の量で存在する、〔２〕に記載の方法。
〔６〕成分a-i)は、成分a)の重量に基づき20〜90重量％の量で存在し、成分a-ii)は、成分a)の重量に基づき10〜80重量％の量で存在する、〔３〕に記載の方法。
〔７〕成分b-i)は、成分b)の重量に基づき20〜90重量％の量で存在し、成分b-ii)は、成分b)の重量に基づき10〜80重量％の量で存在する、〔１〕に記載の方法。
〔８〕成分b-i)は、成分b)の重量に基づき20〜90重量％の量で存在し、成分b-ii)は、成分b)の重量に基づき10〜80重量％の量で存在する、〔２〕に記載の方法。
〔９〕成分b-i)は、成分b)の重量に基づき20〜90重量％の量で存在し、成分b-ii)は、成分b)の重量に基づき10〜80重量％の量で存在する、〔３〕に記載の方法。
〔１０〕成分a-i)は、成分a)の重量に基づき30〜80重量％の量で存在し、成分a-ii)は、成分a)の重量に基づき20〜70重量％の量で存在し、成分c)の少なくとも80モル％は、式Ｉで示される化合物である、〔１〕に記載の方法。
〔１１〕成分a-i)は、成分a)の重量に基づき30〜80重量％の量で存在し、成分a-ii)は、成分a)の重量に基づき20〜70重量％の量で存在し、成分c)の少なくとも80モル％は、式Ｉで示される化合物である、〔２〕に記載の方法。
〔１２〕成分a-i)は、成分a)の重量に基づき30〜80重量％の量で存在し、成分a-ii)は、成分a)の重量に基づき20〜70重量％の量で存在し、成分c)の少なくとも80モル％は、式IIIで示される化合物である、〔３〕に記載の方法。
〔１３〕成分b-i)は、成分b)の重量に基づき30〜80重量％の量で存在し、成分b-ii)は、成分b)の重量に基づき20〜70重量％の量で存在し、成分c)の少なくとも80モル％は、式Ｉで示される化合物である、〔１〕に記載の方法。
〔１４〕成分b-i)は、成分b)の重量に基づき30〜80重量％の量で存在し、成分b-ii)は、成分b)の重量に基づき20〜70重量％の量で存在し、成分c)の少なくとも80モル％は、式Ｉで示される化合物である、〔２〕に記載の方法。
〔１５〕成分b-i)は、成分b)の重量に基づき30〜80重量％の量で存在し、成分b-ii)は、成分b)の重量に基づき20〜70重量％の量で存在し、成分c)の少なくとも80モル％は、式IIIで示される化合物である、〔３〕に記載の方法。
〔１６〕成分a-i)のポリエーテルセグメントは、少なくとも6000の数平均分子量を有し、成分a-ii)のポリエーテルセグメントは、3000〜12,000の数平均分子量を有する、〔１〕に記載の方法。
〔１７〕成分a-i)のポリエーテルセグメントは、少なくとも6000の数平均分子量を有し、成分a-ii)のポリエーテルセグメントは、3000〜12,000の数平均分子量を有する、〔２〕に記載の方法。
〔１８〕成分a-i)のポリエーテルセグメントは、少なくとも6000の数平均分子量を有し、成分a-ii)のポリエーテルセグメントは、3000〜12,000の数平均分子量を有する、〔３〕に記載の方法。
〔１９〕成分a-i)のポリエーテルセグメントは、少なくとも6000の数平均分子量を有し、成分a-ii)のポリエーテルセグメントは、3000〜12,000の数平均分子量を有する、〔４〕に記載の方法。
〔２０〕成分a-i)のポリエーテルセグメントは、少なくとも6000の数平均分子量を有し、成分a-ii)のポリエーテルセグメントは、3000〜12,000の数平均分子量を有する、〔１０〕に記載の方法。